(57)【要約】【課題】持ち運びの容易さと、組み立ての容易さとを兼ね備えた折り畳み式スクリーンの提供。【解決手段】プロジェクタ１は、折り畳み式スクリーン２と、装置本体１０とを備える。折り畳み式スクリーン２は、スクリーン幕３と、４本の骨部材４と、筒状部材５と、４本の連結部材６と、筒状部材７とを備えて構成される。骨部材４は、スクリーン幕３の隅部を一方の端部で支持する。筒状部材５は、骨部材４の他方の端部を回動自在に支持する。連結部材６は、骨部材４に、回動自在に設けられる。筒状部材７は、連結部材６をそれぞれ回動自在に支持する。このような構成によれば、筒状部材７を、筒状部材５とスクリーン幕３との間で進退させることにより、容易に折り畳み式スクリーン２の開閉を行うことができる。さらに、閉じた状態の折り畳み式スクリーン２は、開いた状態と比較して小さく収納することができるので、容易に持ち運ぶことができる。【選択図】図１
2008070749.tif 000002
【特許請求の範囲】
【請求項１】
光学像が投影される可撓性を有するスクリーン幕と、
前記スクリーン幕の隅部を一方の端部で支持する複数の骨部材と、
前記スクリーン幕と対向する面に開口を有し、前記骨部材の他方の端部を回動自在に支持する第１筒状部材と、
前記各骨部材における前記一方の端部と前記他方の端部との間に、回動自在に設けられた複数の連結部材と、
前記スクリーン幕と対向する面に開口を有し、前記複数の連結部材をそれぞれ回動自在に支持する第２筒状部材とを備え、
前記第２筒状部材は、前記第１筒状部材に対して進退することを特徴とする折り畳み式スクリーン。
【請求項２】
請求項１に記載の折り畳み式スクリーンにおいて、
前記骨部材は、伸縮自在に構成されることを特徴とする折り畳み式スクリーン。
【請求項３】
請求項１または請求項２のいずれかに記載の折り畳み式スクリーンにおいて、
前記スクリーン幕は、伸縮自在な材料で形成されることを特徴とする折り畳み式スクリーン。
【請求項４】
光源、当該光源から射出された光を画像情報に応じて変調する光変調装置、当該光変調装置により変調された光を投射する投射光学装置を有する装置本体と、
請求項１から請求項３のいずれかに記載の折り畳み式スクリーンとを備え、
前記投射光学装置の光軸方向は、前記スクリーン幕の法線方向と同じであることを特徴とするプロジェクタ。
【請求項５】
請求項４に記載のプロジェクタにおいて、
前記装置本体は、前記光源、及び前記光変調装置を内部に収納する筐体を備え、
前記筐体は、前記第１筒状部材の開口内、及び前記第２筒状部材の開口内に配置され、
前記第１筒状部材、及び第２筒状部材のうち、いずれか一方は、前記筐体に固定され、他方は、前記筐体に沿って摺動することを特徴とするプロジェクタ。
【発明の詳細な説明】
【技術分野】
【０００１】
本発明は、折り畳み式スクリーン、及び当該折り畳み式スクリーンを備えるプロジェクタに関する。
【背景技術】
【０００２】
従来、光源から射出された光を画像情報に応じて変調して光学像を形成し、当該光学像をスクリーンに拡大投射するプロジェクタが知られている。
ここで、光学像が投影されるスクリーンとしては、例えば、三脚スタンドにスクリーン幕が支持される三脚スタンド式スクリーンや、天井などに吊下げて固定され、スクリーン幕を引き降ろして使用する吊下げ式スクリーンなどが知られている。通常、これらのスクリーンは、会議室などに設置され、持ち運びが困難である。
【０００３】
一方、持ち運びが可能な折り畳み式スクリーンも知られている（例えば、特許文献１参照）。
特許文献１に記載の折り畳み式スクリーンでは、分割可能な枠体と、スクリーン幕とを備えて構成される折り畳み式スクリーンが開示されている。このような折り畳み式スクリーンを収納する場合には、スクリーン幕を枠体から取り外すことで、枠体を分割して収納することができ、持ち運びを容易にすることができる。
【０００４】
【特許文献１】特開２００２−３１１５０６号公報
【発明の開示】
【発明が解決しようとする課題】
【０００５】
しかしながら、特許文献１の折り畳み式スクリーンでは、分割された枠体を連結し、この枠体にスクリーン幕を装着して折り畳みスクリーンを組み立てるので、組み立て方法が複雑であり、手間がかかるという問題があった。
【０００６】
本発明の目的は、持ち運びの容易さと、組み立ての容易さとを兼ね備えた折り畳み式スクリーン、及び当該折り畳み式スクリーンを備えるプロジェクタを提供することにある。
【課題を解決するための手段】
【０００７】
本発明の折り畳み式スクリーンは、光学像が投影される可撓性を有するスクリーン幕と、前記スクリーン幕の隅部を一方の端部で支持する複数の骨部材と、前記スクリーン幕と対向する面に開口を有し、前記骨部材の他方の端部を回動自在に支持する第１筒状部材と、前記各骨部材における前記一方の端部と前記他方の端部との間に、回動自在に設けられた複数の連結部材と、前記スクリーン幕と対向する面に開口を有し、前記複数の連結部材をそれぞれ回動自在に支持する第２筒状部材とを備え、前記第２筒状部材は、前記第１筒状部材に対して進退することを特徴とする。
【０００８】
本発明によれば、複数の骨部材と、第１筒状部材と、複数の連結部材と、第２筒状部材とを備えているから、第２筒状部材を、第１筒状部材とスクリーン幕との間で進退させることにより、容易に折り畳み式スクリーンの開閉を行うことができる。さらに、閉じた状態の折り畳み式スクリーンは、開いた状態と比較して小さく収納することができるので、容易に持ち運ぶことができる。
【０００９】
まず、折り畳み式スクリーンが開いた状態から閉じる場合には、第２筒状部材をスクリーン幕の方向に移動する。これにより、複数の連結部材は、複数の骨部材と、第２筒状部材とに回動自在に支持されているので、第２筒状部材がスクリーン幕の方向に移動するにつれて、第２筒状部材の軸と略平行な状態へと近づく。そして、各連結部材が第２筒状部材の軸と略平行な状態になると、各骨部材と、第１筒状部材と、各連結部材と、第２筒状部材とが互いに略平行な状態になり、全体が閉じた状態となる。すると、スクリーン幕の隅部は、各骨部材により支持されているので、スクリーン幕が畳まれる。
【００１０】
次に、折り畳み式スクリーンが閉じた状態から開く場合には、第２筒状部材をスクリーン幕とは反対方向に移動する。これにより、複数の連結部材は、複数の骨部材と、第２筒状部材とに回動自在に支持されているので、第２筒状部材がスクリーン幕とは反対方向に移動するにつれて、第２筒状部材の軸と略垂直な状態へと近づく。そして、各連結部材が第２筒状部材の軸と略垂直な状態になると、各骨部材は、各連結部材により加圧されて開いた状態となる。すると、スクリーン幕の隅部は、各骨部材により支持されているので、スクリーン幕が張られる。
【００１１】
本発明では、前記骨部材は、伸縮自在に構成されることが好ましい。
本発明によれば、折り畳み式スクリーンを開く場合には、骨部材を伸ばして開くことができ、折り畳み式スクリーンを閉じる場合には、骨部材を縮めて閉じることができる。
したがって、折り畳み式スクリーンを、さらに小さく収納することができ、容易に持ち運ぶことができる。
【００１２】
本発明では、前記スクリーン幕は、伸縮自在な材料で形成されることが好ましい。
本発明によれば、各骨部材からスクリーン幕へと伝わる張力に応じてスクリーン幕が伸縮するので、例えば、第２筒状部材を、第１筒状部材とスクリーン幕との間で進退させることにより、各骨部材の開く角度を調節することができ、スクリーン幕の大きさを変更することができる。
【００１３】
また、前述の伸縮自在の骨部材により折り畳み式スクリーンを構成する場合においては、骨部材の伸縮率を変更することにより、スクリーン幕の大きさを変更することができる。
また、例えば、伸縮自在の連結部材により折り畳み式スクリーンを構成する場合においては、連結部材の伸縮率を変更することにより、スクリーン幕の大きさを変更することができる。
したがって、プロジェクタ等によりスクリーン幕に光学像を拡大投射する際に、投射領域に応じてスクリーン幕の大きさを変更することができる。
【００１４】
本発明のプロジェクタは、光源、当該光源から射出された光を画像情報に応じて変調する光変調装置、当該光変調装置により変調された光を投射する投射光学装置を有する装置本体と、前述した折り畳み式スクリーンとを備え、前記投射光学装置の光軸方向は、前記スクリーン幕の法線方向と同じであることを特徴とする。
【００１５】
本発明によれば、プロジェクタは、装置本体と、前述した折り畳み式スクリーンとを備え、投射光学装置の光軸方向は、前記スクリーン幕の法線方向と同じであるから、折り畳み式スクリーンを開くことにより、投射光学装置から投射される光と、スクリーン幕との調整をすることなく、容易にプロジェクタを使用することができる。
また、前述の伸縮自在の骨部材と、前述の伸縮自在のスクリーン幕とにより折り畳み式スクリーンを構成する場合においては、骨部材の伸縮率を変更することにより、装置本体と、スクリーン幕との距離を調節することができ、装置本体にフォーカス調整機構を設けない場合であってもフォーカス調整をすることができる。
【００１６】
本発明では、前記装置本体は、前記光源、及び前記光変調装置を内部に収納する筐体を備え、前記筐体は、前記第１筒状部材の開口内、及び前記第２筒状部材の開口内に配置され、前記第１筒状部材、及び第２筒状部材のうち、いずれか一方は、前記筐体に固定され、他方は、前記筐体に沿って摺動することが好ましい。
【００１７】
本発明によれば、第１筒状部材、及び第２筒状部材のうち、いずれか一方は、筐体に固定されるので、装置本体と、前述した折り畳み式スクリーンとを一体化することができる。また、第１筒状部材、及び第２筒状部材のうち、他方は、筐体に沿って摺動するので、進退動作を容易に行うことができ、容易に折り畳み式スクリーンの開閉を行うことができる。
【発明を実施するための最良の形態】
【００１８】
以下、本発明の実施形態を図面に基づいて説明する。
〔第１実施形態〕
図１は、折り畳み式スクリーンを開いた状態を示すプロジェクタ１の概略図、図２は、折り畳み式スクリーンを閉じた状態を示すプロジェクタ１の概略図である。
プロジェクタ１は、図１に示すように、折り畳み式スクリーン２と、装置本体１０とを備えて構成される。
折り畳み式スクリーン２は、スクリーン幕３と、４本の骨部材４と、第１筒状部材としての筒状部材５と、４本の連結部材６と、第２筒状部材としての筒状部材７とを備えて構成される。
【００１９】
スクリーン幕３は、可撓性を有する材料で略矩形状に形成され、光学像が投影される。また、スクリーン幕３には、隅部の４箇所に穴３１が形成される。
骨部材４は、スクリーン幕３の隅部を一方の端部で支持し、接続部材４１と、支持部４２と、ピン４３とを備える。なお、骨部材４は、可撓性を有する材質により形成され、骨部材４は、それぞれ同じ長さである。
接続部材４１は、骨部材４における一方の端部と他方の端部との間に設けられ、連結部材６の一方の端部を枢支する。これにより、連結部材６は、骨部材４におけるスクリーン幕３と筒状部材５との間に、回動自在に設けられる。
支持部４２は、図２に示すように、穴３１に挿通された後、ピン４３が取り付けられる。これにより、骨部材４は、スクリーン幕３を支持する。
【００２０】
筒状部材５は、スクリーン幕３と対向する面に開口を有し、骨部材４の他方の端部を回動自在に支持する。また、筒状部材５は、骨部材４を回動自在に支持する枢支部５１と、折り畳み式スクリーン２を開いた際に、骨部材４が開いた状態を保持する面ファスナー５２を備える。
連結部材６は、骨部材４におけるスクリーン幕３と筒状部材５との間に、回動自在に設けられる。
【００２１】
筒状部材７は、スクリーン幕３と対向する面に開口を有し、連結部材６をそれぞれ回動自在に支持する。また、筒状部材７は、連結部材６を回動自在に支持する枢支部７１と、折り畳み式スクリーン２を開いた際に、骨部材４が開いた状態を保持する面ファスナー７２を備える。
なお、面ファスナー５２は、フック面であり、面ファスナー７２は、ループ面である。また、面ファスナー５２に、面ファスナー７２を押し付けることにより、面ファスナー５２、及び７２を互いに係止させることができる。
【００２２】
次に、筒状部材５の開口内、及び筒状部材７の開口内に配置される装置本体１０について図３を参照して説明する。
図３は、装置本体１０の内部構造を示す概略図である。
装置本体１０は、光源から射出された光を画像情報に応じて変調して光学像を形成し、当該光学像を投射レンズ１３により拡大投射するものである。この装置本体１０は、図３に示すように、画像情報に応じた光学像を形成する光学ユニット１４と、形成された光学像を拡大投射する投射レンズ１３と、これらを内部に収納する外装筺体１２とを備えて構成されている。
なお、図３において、図示は省略するが、外装筺体１２内において、投射レンズ１３および光学ユニット１４以外の空間には、装置本体１０内部の各構成部材に電力を供給する電源ユニット、および装置本体１０全体を制御する制御ユニット等が配置されるものとする。
【００２３】
外装筺体１２は、合成樹脂から構成され、図３に示すように、投射レンズ１３および光学ユニット１４等を内部に収納配置する全体略直方体状に形成されている。なお、外装筺体１２は、合成樹脂等に限らず、そのほかの材料にて形成してもよく、たとえば、金属等により構成してもよい。
投射レンズ１３は、光学ユニット１４にて形成された光学像を、スクリーン幕３上に拡大投射する投射光学装置である。この投射レンズ１３は、筒状の鏡筒内に複数のレンズが収納された組レンズとして構成されている。
光学ユニット１４は、制御ユニットによる制御の下、光源から射出された光を画像情報に応じて変調して、光学像を形成するものである。この光学ユニット１４は、図３に示すように、インテグレータ照明光学系１５と、液晶ライトバルブを備えた光学装置１６とに機能的に大別される。
【００２４】
インテグレータ照明光学系１５は、後述する光学装置１６を構成する液晶ライトバルブの画像形成領域を均一に照明する照明光学系である。図３に示すように、インテグレータ照明光学系１５は、光源装置１５１、偏光変換素子１５２、ロッドインテグレータ１５３ロッドインテグレータ１５３、および重畳レンズ１５４を備えて構成されている。
【００２５】
光源装置１５１は、複数の固体光源１７を備えている。固体光源１７は、素子基板１７１上に設けられた発光部１７２を備えて構成されている。発光部１７２は、ＬＥＤ素子から構成される発光層を備えており、各ＬＥＤ素子に応じた光を射出する。
偏光変換素子１５２は、ロッドインテグレータ１５３の入射端面に設けられ、光源装置１５１から射出された光を略１種類の直線偏光（本実施形態ではＰ偏光）に変換するものである。
偏光を変調するタイプの液晶パネルを用いたプロジェクタでは、１種類の直線偏光しか利用できないため、ランダムな偏光を発する光源装置１５１からの光の略半分を利用できない。このため、偏光変換素子１５２を用いることで、光源装置１５１からの射出光を略１種類の直線偏光に変換して光の利用効率を高めている。
【００２６】
ロッドインテグレータ１５３は、ガラス等の透光性材料から断面矩形状に構成され、光源装置１５１から射出された光を入射端面より入射し、入射した光をロッドインテグレータ１５３の内部で繰り返し反射させることにより、光の面内照度を均一化して射出端面より射出する。ロッドインテグレータ１５３から射出された光は、重畳レンズ１５４により、液晶ライトバルブの画像形成領域に重畳される。
【００２７】
光学装置１６は、入射された光を画像情報に応じて変調して画像を形成する。この光学装置１６は、インテグレータ照明光学系１５からの光が入射される光変調装置としての液晶ライトバルブを備えている。
液晶ライトバルブは、図示を略すが、照明光軸方向から順に、入射側偏光板、液晶パネルおよび射出側偏光板を含んで構成される。この液晶パネルは、例えば、ポリシリコンＴＦＴをスイッチング素子として用いたものであり、対向配置される一対の透明基板内に電気光学物質としての液晶が密封封入されている。そして、これら液晶パネルは、光入射側に設けられた入射側偏光板を介して入射する光を画像情報に応じて変調し、光射出側に設けられた射出側偏光板を介して射出する。
【００２８】
ここで、入射側偏光板は、一定方向に振動する偏光（本実施形態ではＰ偏光）のみを透過させ、その他の光（本実施形態ではＳ偏光）を吸収するものであり、サファイアガラス等の基板に偏光膜が貼付されたものである。
また、射出側偏光板も、入射側偏光板と略同様に構成され、液晶パネルから射出された
光のうち、所定方向の偏光のみ透過させ、その他の光を吸収する。ただし、透過させる偏光の振動方向は、本実施形態では、入射側偏光板を透過する偏光の振動方向に対して直交するように設定されており、射出側偏光板は、Ｓ偏光のみを透過させ、Ｐ偏光を吸収する。
【００２９】
次に、折り畳み式スクリーン２の開閉方法について説明する。
折り畳み式スクリーン２の開閉は、筒状部材７を、筒状部材５とスクリーン幕３との間で進退させることにより行われる。
なお、筒状部材５は、外装筐体１２に固定され、筒状部材７は、外装筐体１２に沿って摺動する。
【００３０】
折り畳み式スクリーン２が開いた状態から閉じる場合には、図１に示すように、面ファスナー５２から面ファスナー７２を引き剥がし、筒状部材７をスクリーン幕３の方向（図１中矢印Ａ）に外装筐体１２上を摺動させる。これにより、連結部材６は、骨部材４と、筒状部材７とに回動自在に支持されているので、筒状部材７がスクリーン幕３の方向に移動するにつれて、筒状部材７の軸と略平行な状態へと近づく。そして、連結部材６が筒状部材７の軸と略平行な状態になると、骨部材４と、筒状部材５と、連結部材６と、筒状部材７とが互いに略平行な状態になり、全体が閉じた状態となる。すると、スクリーン幕３の頂点部分は、骨部材４により支持されているので、スクリーン幕３が畳まれる。
【００３１】
折り畳み式スクリーン２が閉じた状態から開く場合には、図２に示すように、筒状部材７をスクリーン幕３とは反対方向（図２中矢印Ｂ）に外装筐体１２上を摺動させる。これにより、連結部材６は、骨部材４と、筒状部材７とに回動自在に支持されているので、筒状部材７がスクリーン幕３とは反対方向に移動するにつれて、筒状部材７の軸と略垂直な状態へと近づく。そして、連結部材６が筒状部材７の軸と略垂直な状態になると、骨部材４は、連結部材６により加圧されて開いた状態となる。すると、スクリーン幕３の頂点部分は、骨部材４により支持されているので、スクリーン幕３が張られる。この際、面ファスナー５２、及び７２を係止させることにより、骨部材４が開いた状態を保持する。
【００３２】
このようなプロジェクタ１では、装置本体１０は、筒状部材５の開口内、及び筒状部材７の開口内に配置され、骨部材４は、それぞれ同じ長さであるから、投射レンズ１３の光軸方向は、スクリーン幕３の法線方向と同じである。
また、スクリーン幕３に光学像を拡大投射する際、骨部材４が遮蔽物となることがなく、プロジェクタ１を利用しやすい。
【００３３】
本実施形態に係るプロジェクタ１によれば、次のような効果がある。
（１）折り畳み式スクリーン２は、４本の骨部材４と、筒状部材５と、４本の連結部材６と、筒状部材７とを備えているから、筒状部材７を、筒状部材５とスクリーン幕３との間で進退させることにより、容易に折り畳み式スクリーン２の開閉を行うことができる。さらに、閉じた状態の折り畳み式スクリーン２は、開いた状態と比較して小さく収納することができるので、容易に持ち運ぶことができる。
【００３４】
（２）プロジェクタ１は、装置本体１０と、折り畳み式スクリーン２とを備え、投射レンズ１３による光の投射方向は、スクリーン幕３の法線方向と同じであるから、折り畳み式スクリーン２を開くことにより、投射レンズ１３から投射される光と、スクリーン幕３との調整をすることなく、容易にプロジェクタ１を使用することができる。
（３）筒状部材５は、外装筐体１２に固定されるので、装置本体１０と、折り畳み式スクリーン２とを一体化することができる。また、筒状部材７は、外装筐体１２に沿って摺動するので、進退動作を容易に行うことができ、容易に折り畳み式スクリーン２の開閉を行うことができる。
【００３５】
〔第２実施形態〕
本発明の第２実施形態に係るプロジェクタ１について説明する。
前記第１実施形態に係る折り畳み式スクリーン２では、骨部材４が、１つの部材で構成されていたが、本実施形態に係る折り畳み式スクリーン２では、骨部材４Ａが、３つの部材で伸縮自在に構成されるとともに、スクリーン幕３が、伸縮自在な材料で形成される点で異なる。
なお、以下の説明では、既に説明した部分については、同一符号を付してその説明を省略する。
【００３６】
図４は、本実施形態のプロジェクタ１を構成する折り畳み式スクリーン２の骨部材４Ａを示す図である。
骨部材４Ａは、骨部材４と同様に、スクリーン幕３の隅部を一方の端部で支持し、接続部材４１と、支持部４２と、ピン４３とを備える。なお、骨部材４Ａは、骨部材４と同様に、可撓性を有する材質により形成され、骨部材４は、それぞれ同じ長さである。
骨部材４Ａは、図４に示すように、管４０１、４０２、及び４０３により構成される。
管４０１は、管４０２の内部に収納することができ、管４０２は、管４０３に収納することができる。これにより、骨部材４Ａは、伸縮自在に構成される。
また、骨部材４Ａにおける各管の長さは、骨部材４Ａの長さを三等分した長さとなっている。
【００３７】
なお、折り畳み式スクリーン２が開いた状態から閉じる場合には、前記第１実施形態と同様に全体を閉じた状態とした後に、骨部材４Ａを縮めることができる。
また、折り畳み式スクリーン２が閉じた状態から開く場合には、まず、骨部材４Ａを伸ばした後に、前記第１実施形態と同様に開くことができる。
この際、スクリーン幕３は、伸縮自在な材料で形成されるため、例えば、管４０２を、管４０３に収納したまま折り畳み式スクリーン２を開くことも可能である。
【００３８】
このような本実施形態においても、前記第１実施形態と同様の作用、効果を得ることができる他、以下の効果を奏することができる。
すなわち、折り畳み式スクリーン２は、骨部材４Ａを縮めて閉じることができるから、さらに小さく収納することができ、容易に持ち運ぶことができる。
また、骨部材４Ａからスクリーン幕３へと伝わる張力に応じてスクリーン幕３が伸縮するから、骨部材４Ａの伸縮率を変更することにより、スクリーン幕３の大きさを変更することができる。したがって、装置本体１０によりスクリーン幕３に光学像を拡大投射する際に、投射領域に応じてスクリーン幕３の大きさを変更することができる。
【００３９】
〔実施形態の変形〕
なお、本発明は前記実施形態に限定されるものではなく、本発明の目的を達成できる範囲での変形、改良等は本発明に含まれるものである。
前記各実施形態では、スクリーン幕３は、略矩形状に形成されていたが、他の多角形状に形成してもよく、楕円形状などに形成してもよい。要するに、スクリーン幕に光学像を投影することができればよい。
前記各実施形態では、骨部材４と連結部材６は、各４本づつ設けられていたが、これ以下の数を設けても、これ以上の数を設けてもよく、要するに、スクリーン幕の形状に応じて設ければよい。
【００４０】
前記各実施形態では、骨部材４は、同じ長さであったが、異なっていてもよく、例えば、プロジェクタの台形補正機能などにより、投射形状を補正すればよい。
前記各実施形態では、装置本体１０は、筒状部材５の開口内、及び筒状部材７の開口内に配置され、筒状部材５は、外装筐体１２に固定されていたが、筒状部材７を、外装筐体１２に固定してもよく、要するに、装置本体と、折り畳み式スクリーンとを一体化することができればよい。
さらに、例えば、筒状部材５は、投射レンズの鏡筒に固定してもよく、要するに、投射光学装置による光の投射方向が、前記スクリーン幕の法線方向と同じであればよい。
【００４１】
前記第２実施形態において、スクリーン幕３は、伸縮自在な材料で形成されていたが、前記第１実施形態において、スクリーン幕３が、伸縮自在な材料で形成されていてもよい。
前記各実施形態では、装置本体１０は、液晶パネルを１つ備える単板式のプロジェクタで構成していたが、これに限らず、液晶パネルを３つ備える三板式のプロジェクタで構成してもよい。また、液晶パネルを２つ備えるプロジェクタや、液晶パネルを４つ以上備えるプロジェクタとして構成してもよい。
前記各実施形態では、プロジェクタ１は、スクリーン幕３を観察する方向から画像投射を行うフロントタイプのプロジェクタとして構成していたが、スクリーン幕を観察する方向とは反対側から画像投射を行うリアタイプのプロジェクタとして構成することも可能である。
【００４２】
前記各実施形態では、光入射面と光射出面とが異なる透過型の液晶ライトバルブを用いていたが、光入射面と光射出面とが同一となる反射型の液晶ライトバルブを用いてもよい。
また、前記各実施形態では、光変調装置として液晶ライトバルブを備えたプロジェクタ１を例示したが、入射光を画像情報に応じて変調して光学像を形成する光変調装置であれば、他の構成の光変調装置を採用してもよい。例えば、マイクロミラーを用いたデバイスなど、液晶層以外の光変調装置を用いたプロジェクタに本発明を適用することも可能である。
【図面の簡単な説明】
【００４３】
【図１】折り畳み式スクリーンを開いた状態を示すプロジェクタの概略図。
【図２】折り畳み式スクリーンを閉じた状態を示すプロジェクタの概略図。
【図３】装置本体の内部構造を示す概略図。
【図４】第２実施形態のプロジェクタを構成する折り畳み式スクリーンの骨部材を示す図。
【符号の説明】
【００４４】
１…プロジェクタ、２…折り畳み式スクリーン、３…スクリーン幕、４…骨部材、４Ａ…骨部材、５…筒状部材、６…連結部材、７…筒状部材、１０…装置本体、１２…外装筐体、４０１…管、４０２…管、４０３…管。
【図１】
2008070749.tif 000003
【図２】
2008070749.tif 000004
【図３】
2008070749.tif 000005
【図４】
2008070749.tif 000006